(57)【要約】【課題】携帯電話機に表示されたコンテンツが自ら変わる自己変動型コンテンツ配信システムを提供する。【解決手段】サーバ２０から携帯電話機１０に掲載情報データがダウンロードされる（Ｓ１０５）。１回にダウンロードされる掲載情報データには、有効時期（有効期間及び有効時間）付きのコンテンツ（クーポンや広告等）が複数含まれる。携帯電話機１０では、有効時期が現在と一致するコンテンツが抽出され（Ｓ１０９〜Ｓ１１１）、表示される（Ｓ１１３，Ｓ１１４）。そのため、表示されるコンテンツは時間の経過に伴って変化する。【選択図】図４
2005129000.tif 000002
【特許請求の範囲】
【請求項１】
サーバと前記サーバに接続可能な携帯情報端末とを備えた自己変動型コンテンツ配信システムであって、
前記サーバは、
複数の第１のコンテンツと前記複数の第１のコンテンツに対応付けられた複数の有効時期とを含む掲載情報データを記憶する記憶手段を含み、
前記携帯情報端末は、
前記サーバから前記掲載情報データをダウンロードしてメモリに格納するダウンロード手段と、
前記メモリに格納された掲載情報データを検索し、前記有効時期が現在と一致するコンテンツを抽出する検索手段と、
前記検索手段により抽出されたコンテンツを表示する表示手段とを含むことを特徴とする自己変動型コンテンツ配信システム。
【請求項２】
請求項１に記載の自己変動型コンテンツ配信システムであって、
前記ダウンロード手段は、前記検索手段による検索の結果、前記有効時期が現在と一致するコンテンツが見つからないとき前記掲載情報データをダウンロードすることを特徴とする自己変動型コンテンツ配信システム。
【請求項３】
請求項１に記載の自己変動型コンテンツ配信システムであって、
前記掲載情報データはさらに、前記複数の第１のコンテンツに対応付けられた複数のコンテンツ特定情報を含み、
前記携帯情報端末はさらに、
前記表示手段により表示されたコンテンツに対応付けられたコンテンツ特定情報を送信する送信手段と、
前記送信手段によりコンテンツ特定情報が送信された後、そのコンテンツ特定情報に対応付けられたコンテンツの表示を変更する表示変更手段とを含むことを特徴とする自己変動型コンテンツ配信システム。
【請求項４】
請求項３に記載の自己変動型コンテンツ配信システムであって、
前記掲載情報データはさらに、前記複数の第１のコンテンツに対応付けられた複数の表示区分を含み、前記表示区分の各々は、対応付けられたコンテンツを表示する表示状態、又は対応付けられたコンテンツを表示しない非表示状態を有し、
前記表示変更手段は、前記送信手段によりコンテンツ特定情報が送信された後、そのコンテンツ特定情報に対応付けられた表示区分を表示状態から非表示状態に変更し、
前記検索手段は、前記表示区分が表示状態を有するコンテンツを抽出することを特徴とする自己変動型コンテンツ配信システム。
【請求項５】
請求項３に記載の自己変動型コンテンツ配信システムであって、
前記掲載情報データはさらに、前記複数の第１のコンテンツに対応付けられた複数の第２のコンテンツと、前記複数の第１又は第２のコンテンツに対応付けられた複数の表示区分とを含み、前記表示区分の各々は、対応付けられた第１のコンテンツを表示する第１の表示状態、又は対応付けられた第２のコンテンツを表示する第２の表示状態を有し、
前記表示変更手段は、前記送信手段によりコンテンツ特定情報が送信された後、そのコンテンツ特定情報に対応付けられた表示区分を第１の表示状態から第２の表示状態に変更し、
前記検索手段は、前記表示区分が第１の表示状態を有するとき第１のコンテンツを抽出し、前記表示区分が第２の表示状態を有するとき第２のコンテンツを抽出することを特徴とする自己変動型コンテンツ配信システム。
【請求項６】
請求項１に記載の自己変動型コンテンツ配信システムであって、
前記掲載情報データはさらに、前記複数の第１のコンテンツに対応付けられた複数の第２のコンテンツと、前記複数の第１又は第２のコンテンツに対応付けられた複数のコンテンツ特定情報と、前記複数の第１又は第２のコンテンツに対応付けられた複数の表示区分とを含み、前記表示区分の各々は、対応付けられた第１のコンテンツを表示する第１の表示状態、又は対応付けられた第２のコンテンツを表示する第２の表示状態を有し、
前記携帯情報端末はさらに、
前記表示手段により表示された第１のコンテンツを選択する選択手段と、
前記選択手段により第１のコンテンツが選択された後、そのコンテンツ特定情報に対応付けられた表示区分を第１の表示状態から第２の表示状態に変更する表示変更手段とを含み、
前記検索手段は、前記表示区分が第１の表示状態を有するとき第１のコンテンツを抽出し、前記表示区分が第２の表示状態を有するとき第２のコンテンツを抽出することを特徴とする自己変動型コンテンツ配信システム。
【請求項７】
複数のコンテンツと前記複数のコンテンツに対応付けられた複数の有効時期とを含む掲載情報データを蓄積するサーバから前記掲載情報データをダウンロードしてメモリに格納するステップと、
前記メモリに格納された掲載情報データを検索し、前記有効時期が現在と一致するコンテンツを抽出するステップと、
前記抽出されたコンテンツを表示するステップとをコンピュータに実行させるための表示コンテンツ自動変更プログラム。
【請求項８】
請求項７に記載の表示コンテンツ自動変更プログラムであって、
前記ダウンロードは、前記検索の結果、前記有効時期が現在と一致するコンテンツが見つからないとき行うことを特徴とする表示コンテンツ自動変更プログラム。
【請求項９】
請求項７に記載の表示コンテンツ自動変更プログラムであって、
前記掲載情報データはさらに、前記複数の第１のコンテンツに対応付けられた複数のコンテンツ特定情報を含み、
前記表示されたコンテンツに対応付けられたコンテンツ特定情報を送信する送信ステップと、
前記送信ステップによりコンテンツ特定情報が送信された後、そのコンテンツ特定情報に対応付けられたコンテンツの表示を変更する表示変更ステップとをさらにコンピュータに実行させるための表示コンテンツ自動変更プログラム。
【請求項１０】
請求項９に記載の表示コンテンツ自動変更プログラムであって、
前記掲載情報データはさらに、前記複数の第１のコンテンツに対応付けられた複数の表示区分を含み、前記表示区分の各々は、対応付けられたコンテンツを表示する表示状態、又は対応付けられたコンテンツを表示しない非表示状態を有し、
前記表示変更ステップは、前記送信ステップによりコンテンツ特定情報が送信された後、そのコンテンツ特定情報に対応付けられた表示区分を表示状態から非表示状態に変更し、
前記検索ステップは、前記表示区分が表示状態を有するコンテンツを抽出することを特徴とする表示コンテンツ自動変更プログラム。
【請求項１１】
請求項９に記載の表示コンテンツ自動変更プログラムであって、
前記掲載情報データはさらに、前記複数の第１のコンテンツに対応付けられた複数の第２のコンテンツと、前記複数の第１又は第２のコンテンツに対応付けられた複数の表示区分とを含み、前記表示区分の各々は、対応付けられた第１のコンテンツを表示する第１の表示状態、又は対応付けられた第２のコンテンツを表示する第２の表示状態を有し、
前記表示変更ステップは、前記送信ステップによりコンテンツ特定情報が送信された後、そのコンテンツ特定情報に対応付けられた表示区分を第１の表示状態から第２の表示状態に変更し、
前記検索ステップは、前記表示区分が第１の表示状態を有するとき第１のコンテンツを抽出し、前記表示区分が第２の表示状態を有するとき第２のコンテンツを抽出することを特徴とする表示コンテンツ自動変更プログラム。
【請求項１２】
請求項７に記載の表示コンテンツ自動変更プログラムであって、
前記掲載情報データはさらに、前記複数の第１のコンテンツに対応付けられた複数の第２のコンテンツと、前記複数の第１又は第２のコンテンツに対応付けられた複数のコンテンツ特定情報と、前記複数の第１又は第２のコンテンツに対応付けられた複数の表示区分とを含み、前記表示区分の各々は、対応付けられた第１のコンテンツを表示する第１の表示状態、又は対応付けられた第２のコンテンツを表示する第２の表示状態を有し、
前記表示ステップにより表示された第１のコンテンツを選択する選択ステップと、
前記選択ステップにより第１のコンテンツが選択された後、そのコンテンツ特定情報に対応付けられた表示区分を第１の表示状態から第２の表示状態に変更する表示変更ステップとをさらにコンピュータに実行させ、
前記検索ステップは、前記表示区分が第１の表示状態を有するとき第１のコンテンツを抽出し、前記表示区分が第２の表示状態を有するとき第２のコンテンツを抽出することを特徴とする表示コンテンツ自動変更プログラム。
【発明の詳細な説明】
【技術分野】
【０００１】
本発明は、自己変動型コンテンツ配信システム及びそれに用いられる表示コンテンツ自動変更プログラムに関し、さらに詳しくは、クーポンや広告等のコンテンツを携帯情報端末に配信し、その携帯情報端末に表示されたコンテンツが自ら変わる自己変動型コンテンツ配信システム及びそれに用いられる表示コンテンツ自動変更プログラムに関する。
【背景技術】
【０００２】
現在、紙のクーポンに代えて、デジタル化されたクーポンをユーザの携帯電話機に電子メールで配信する方法が行われている。具体的には、クーポンのあるＵＲＬ(Uniform Resource Locator)を電子メールでユーザの携帯電話機に配信し、ユーザにそのＵＲＬからクーポンをダウンロードしてもらう、という方法が行われている。
【０００３】
しかし、この方法では、次の新しいクーポンをユーザにダウンロードしてもらうためには、その新しいクーポンのあるＵＲＬを再び電子メールでユーザの携帯電話機に配信しなければならない。このことは、一度クーポンをダウンロードしてくれたユーザでさえも同様である。また、ユーザは新しいクーポンをダウンロードするたびに通信費用を負担しなければならない。そのため、繰り返しクーポンをダウンロードしてくれるユーザは少なく、十分な販促効果は得られていない。また最近では、多数の広告メールが配信されてくるため、このような電子メールの配信を全て拒否するユーザも増加している。
【０００４】
電子メールによる広告の配信は携帯電話機の普及に伴い爆発的に増加したが、以上のような状況から現在では有効な販売促進ツールとなっていない。
【０００５】
【特許文献１】特開２００１−１９５４７１
【特許文献２】ＷＯ０３／０３８７０２Ａ１
【０００６】
［先行出願１］特願２００４−１２２４５６
【発明の開示】
【発明が解決しようとする課題】
【０００７】
本発明の１つの目的は、携帯情報端末に表示されたコンテンツが自ら変わる自己変動型コンテンツ配信システム及びその携帯情報端末に用いられる表示コンテンツ自動変更プログラムを提供することである。
【０００８】
本発明のもう１つの目的は、携帯情報端末に表示されたコンテンツの回収が可能な自己変動型コンテンツ配信システム及びその携帯情報端末に用いられる表示コンテンツ自動変更プログラムを提供することである。
【課題を解決するための手段及び発明の効果】
【０００９】
本発明による自己変動型コンテンツ配信システムは、サーバと、サーバに接続可能な携帯情報端末とを備える。サーバは、掲載情報データを記憶する記憶手段を含む。掲載情報データは、複数の第１のコンテンツと複数の第１のコンテンツに対応付けられた複数の有効時期とを含む。携帯情報端末は、ダウンロード手段と、検索手段と、表示手段とを含む。ダウンロード手段は、サーバから掲載情報データをダウンロードしてメモリに格納する。検索手段は、メモリに格納された掲載情報データを検索し、有効時期が現在と一致するコンテンツを抽出する。表示手段は、検索手段により抽出されたコンテンツを表示する。ここでいう携帯情報端末には、携帯電話機、ＰＨＳ(Personal Handy-phone System)、ＰＤＡ(Personal Digital Assistant)等が含まれる。コンテンツとしては、クーポン、広告、旅行の目的地、写真、地図、キャラクタ等を挙げることができ、特に限定されない。
【００１０】
本システムでは、サーバから携帯情報端末に掲載情報データがダウンロードされる。ここで１回にダウンロードされる掲載情報データには、有効時期付きのコンテンツが複数含まれる。携帯情報端末では、有効時期が現在と一致するコンテンツが抽出され、表示される。そのため、表示されるコンテンツは時間の経過に伴って変化する。
【００１１】
好ましくは、ダウンロード手段は、検索手段による検索の結果、有効時期が現在と一致するコンテンツが見つからないとき掲載情報データをダウンロードする。
【００１２】
この場合、掲載情報データは有効時期が現在と一致するコンテンツが見つからないときダウンロードされるため、携帯情報端末は頻繁にサーバと通信する必要がない。
【００１３】
好ましくは、掲載情報データはさらに、複数の第１のコンテンツに対応付けられた複数のコンテンツ特定情報を含む。携帯情報端末はさらに、送信手段と、表示変更手段とを含む。送信手段は、表示手段により表示されたコンテンツに対応付けられたコンテンツ特定情報を送信する。表示変更手段は、送信手段によりコンテンツ特定情報が送信された後、そのコンテンツ特定情報に対応付けられたコンテンツの表示を変更する。
【００１４】
この場合、コンテンツ特定情報が送信されると、表示されるコンテンツは変化し、たとえば表示されていたコンテンツが消滅したり、新しいコンテンツが表示されたりする。したがって、ユーザにはコンテンツが送信され、回収されたように見せることができる。
【００１５】
さらに好ましくは、掲載情報データはさらに、複数の第１のコンテンツに対応付けられた複数の表示区分を含む。表示区分の各々は、対応付けられたコンテンツを表示する表示状態、又は対応付けられたコンテンツを表示しない非表示状態を有する。表示変更手段は、送信手段によりコンテンツ特定情報が送信された後、そのコンテンツ特定情報に対応付けられた表示区分を表示状態から非表示状態に変更する。検索手段は、表示区分が表示状態を有するコンテンツを抽出する。
【００１６】
この場合、当初は表示区分が表示状態を有するコンテンツが抽出され、表示されるが、コンテンツ特定情報が送信されると、表示区分が表示状態から非表示状態に変更されるので、そのコンテンツは抽出されず、表示されない。
【００１７】
あるいは、掲載情報データはさらに、複数の第１のコンテンツに対応付けられた複数の第２のコンテンツと、複数の第１又は第２のコンテンツに対応付けられた複数の表示区分とを含む。表示区分の各々は、対応付けられた第１のコンテンツを表示する第１の表示状態、又は対応付けられた第２のコンテンツを表示する第２の表示状態を有する。表示変更手段は、送信手段によりコンテンツ特定情報が送信された後、そのコンテンツ特定情報に対応付けられた表示区分を第１の表示状態から第２の表示状態に変更する。検索手段は、表示区分が第１の表示状態を有するとき第１のコンテンツを抽出し、表示区分が第２の表示状態を有するとき第２のコンテンツを抽出する。
【００１８】
この場合、当初は表示区分が第１の表示状態を有する第１のコンテンツが抽出され、表示されるが、コンテンツ特定情報が送信されると、表示区分が第１の表示状態から第２の表示状態に変更されるので、第２の表示状態を有する第２のコンテンツが抽出され、表示される。
【００１９】
好ましくは、掲載情報データはさらに、複数の第１のコンテンツに対応付けられた複数の第２のコンテンツと、複数の第１又は第２のコンテンツに対応付けられた複数のコンテンツ特定情報と、複数の第１又は第２のコンテンツに対応付けられた複数の表示区分とを含む。表示区分の各々は、対応付けられた第１のコンテンツを表示する第１の表示状態、又は対応付けられた第２のコンテンツを表示する第２の表示状態を有する。携帯情報端末はさらに、選択手段と、表示変更手段とを含む。選択手段は、表示手段により表示された第１のコンテンツを選択する。表示変更手段は、選択手段により第１のコンテンツが選択された後、そのコンテンツ特定情報に対応付けられた表示区分を第１の表示状態から第２の表示状態に変更する。検索手段は、表示区分が第１の表示状態を有するとき第１のコンテンツを抽出し、表示区分が第２の表示状態を有するとき第２のコンテンツを抽出する。
【００２０】
この場合、当初は表示区分が第１の表示状態を有する第１のコンテンツが抽出され、表示されるが、表示された第１のコンテンツが選択されると、表示区分が第１の表示状態から第２の表示状態に変更されるので、第２の表示状態を有する第２のコンテンツが抽出され、表示される。
【００２１】
一方、本発明による表示コンテンツ自動変更プログラムは、コンピュータ（携帯情報端末）を上述した各手段として機能させるためのプログラムである。
【発明を実施するための最良の形態】
【００２２】
以下、図面を参照し、本発明の実施の形態を詳しく説明する。図中同一又は相当部分には同一符号を付してその説明は繰り返さない。
【００２３】
［第１の実施の形態］
図１を参照して、本発明の第１の実施の形態による自己変動型コンテンツ配信システムは、サーバ２０と、サーバ２０に接続可能な携帯電話機１０とを備える。サーバ２０には、携帯電話機１０に配信するための掲載情報データが蓄積されている。掲載情報データには、クーポンや広告等のコンテンツ（掲載内容）が多数含まれている。コンテンツの各々には、そのコンテンツが有効となる日時が付与されている。
【００２４】
携帯電話機１０はサーバ２０にアクセスし、蓄積されている掲載情報データの中からある一定期間内の掲載情報データ１５をダウンロードする。携帯電話機１０は、ダウンロードした掲載情報データ１５を検索し、有効日時が現在の日時と一致するクーポン１６を抽出してディスプレイ１１上に表示する。
【００２５】
ユーザは携帯電話機１０を店員に差し出し、ディスプレイ１１上に表示されたクーポン１６を見せることにより、割引サービスを受ける。
【００２６】
図２を参照して、サーバ２０は、表示コンテンツ自動変更プログラム２２と、掲載情報データ２３とを記憶するデータベース２１とを備える。表示コンテンツ自動変更プログラム２２は、携帯電話機１０にダウンロード可能な状態でサーバ２０にアップロードされている。サーバ２０はさらに、ＣＰＵ（図示せず）と、掲載情報データ２３をデータベース２１に登録するためのプログラム（図示せず）とを備える。
【００２７】
携帯電話機１０は、ディスプレイ１１と、ＣＰＵ（中央演算処理装置）１２と、ＥＰＲＯＭ(Electrically Programmable Read Only Memory)等の不揮発性半導体メモリ１３とを備える。メモリ１３は、表示コンテンツ自動変更プログラム２２と、掲載情報データ１５とを記憶する。これらはサーバ２０からダウンロードされる。表示コンテンツ自動変更プログラム２２は、サーバ２０からダウンロードした掲載情報データ１５に基づき、ディスプレイ１１上に表示したクーポン等を変化させる。
【００２８】
携帯電話機１０にダウンロードされた掲載情報データ１５の一例を図３に示す。図３を参照して、掲載情報データ１５は、掲載期間１５０と、複数のレコード１５１〜１５３とを含む。掲載期間１５０は、掲載情報データ１５が有効な期間を示す。レコード１５１〜１５３の各々は、有効時期と、掲載内容（コンテンツ）とを含む。有効時期は、対応する掲載内容が有効な日時を示し、具体的には有効期間と有効時間とを含む。有効期間は対応する掲載内容が有効な期間（日にち）を示し、有効時間は対応する掲載内容が有効な時間を示す。掲載内容は、数値と、単位と、名称（タイトル）と、説明とを含む。
【００２９】
図３に例示された掲載情報データ１５は、２００３年９月１日〜２００３年９月７日の期間で有効である。レコード１５１は、９月１日〜９月５日の期間で２１時〜２４時の時間以内で有効である。レコード１５２は、９月１日〜９月５日の期間で２１時〜２４時の時間以外、つまり０時〜２０時５９分の時間以内で有効である。レコード１５３は９月６日〜９月７日の期間で有効である。
【００３０】
図２に示したサーバ２０のデータベース２１には、掲載期間が互いに異なる複数の掲載情報データ２３が蓄積されている。掲載情報データ２３は店舗又はその代行業者により予め登録される。
【００３１】
携帯電話機１０にダウンロードされた表示コンテンツ自動変更プログラム２２を図４の携帯電話機１０の欄に示す。以下、図４を参照して自己変動型コンテンツ配信システムの動作を説明する。
【００３２】
まず、携帯電話機１０は表示コンテンツ自動変更プログラム２２を起動する（Ｓ１０１）。初めての起動の場合はステップＳ１０３に進み、そうでない場合はステップＳ１０８に進む（Ｓ１０２）。
【００３３】
初めての起動の場合、携帯電話機１０は図５（ａ）に示した更新画面をディスプレイ１１に表示する（Ｓ１０３）。画面の案内に従いユーザが更新ボタン３０を押すと、携帯電話機１０は最新の掲載情報データをサーバ２０に要求する（Ｓ１０４）。最新の掲載情報データとは、サーバ２０のデータベース２１に登録されている複数の掲載情報データ２３のうち、掲載期間１５０が本日の日付を含むデータである。
【００３４】
携帯電話機１０からの要求に応じて、サーバ２０は最新の掲載情報データ１５を携帯電話機１０に送信する（Ｓ２０１）。携帯電話機１０は掲載情報データ１５を受信し、メモリ１３に格納する。これにより、掲載情報データ１５がサーバ２０から携帯電話機１０にダウンロードされる。
【００３５】
次に、携帯電話機１０は内部時計（図示せず）を参照し、ダウンロードした掲載情報データ１５の掲載期間１５０内に本日が含まれているか否かを判断する（Ｓ１０６）。掲載期間１５０内に本日が含まれている場合はステップＳ１０９に進むが、含まれていない場合は利用可能な掲載情報がないため、携帯電話機１０はエラー画面（図示せず）をディスプレイ１１上に表示する（Ｓ１０７）。
【００３６】
ステップＳ１０２に戻り、初めての起動でない場合、携帯電話機１０は以前にダウンロードした掲載情報データ１５の掲載期間１５０内に本日が含まれているか否かを判断する（Ｓ１０８）。掲載期間内に本日が含まれている場合はステップＳ１０９に進むが、含まれていない場合は利用可能な掲載情報がないため、ステップＳ１０３に進み、携帯電話機１０は上記の通り最新の掲載情報データ１５をダウンロードする（Ｓ１０４〜Ｓ１０５）。
【００３７】
ステップＳ１０６又はＳ１０８で本日が掲載期間１５０内に含まれている場合、携帯電話機１０は掲載情報データ１５を検索し、レコード１５１〜１５３の中から本日が有効期間内に含まれるレコードを抽出する（Ｓ１０９）。
【００３８】
続いて、携帯電話機１０は抽出したレコードに有効時間が設定されているか否かを判断する（Ｓ１１０）。有効時間が設定されている場合はステップＳ１１１に進むが、設定されていない場合はステップＳ１１１を飛ばしてステップＳ１１２に進む。
【００３９】
有効時間が設定されている場合、携帯電話機１０は現在の時刻が該当するレコードの有効時間内に含まれているか否かを判断する（Ｓ１１１）。現在の時刻が有効時間内に含まれている場合はステップＳ１１２に進むが、含まれていない場合はステップＳ１０９に戻る。
【００４０】
有効時間が設定されていない場合、又は有効時間が設定されている場合であってかつその有効時間内に現在の時刻が含まれている場合、携帯電話機１０は該当するレコードの単位が無効か否かを判断する（Ｓ１１２）。単位が無効の場合、携帯電話機１０は、有効期間、有効時間、数値、及び単位を除き、該当するレコードの名称及び説明をディスプレイ１１上に表示する（Ｓ１１３）。一方、単位が無効でない場合、携帯電話機１０は該当するレコードの全項目をディスプレイ１１上に表示する（Ｓ１１４）。表示後はステップＳ１０８に戻る。
【００４１】
たとえば現在の日時が９月１日〜５日の２１時〜２４時の場合、携帯電話機１０はレコード１５１を選択し、その掲載内容に基づいて図５（ｂ）に示したクーポン画面を表示する。具体的には、レコード１５１の有効期間３１、有効時間３２、数値及び単位３３、名称３４、並びに説明３５が表示される。本例のクーポンは９月１日〜５日の２１時〜２４時に有効で、この間だけ表示される。
【００４２】
また、現在の日時が９月１日〜５日の２１時〜２４時以外の場合、携帯電話機１０はレコード１５２を選択し、その掲載内容に基づいて図５（ｃ）に示した広告画面を表示する。具体的には、レコード１５２の名称３４及び説明３５が表示される。本例の広告は９月１日〜５日の２１時〜２４時以外に有効で、この間だけ表示される。
【００４３】
また、現在の日時が９月６日〜７日の場合、携帯電話機１０はレコード１５３を選択し、その掲載内容に基づいて図５（ｄ）に示した広告画面を表示する。具体的には、レコード１５３の名称３４及び説明３５が表示される。本例の広告は９月６日〜７日に有効で、この間だけ表示される。
【００４４】
以上のように本発明の第１の実施の形態によれば、有効時期が互いに異なる複数のレコード１５１〜１５３を一括してダウンロードし、有効時期が現在の日時と一致するレコードを抽出し、その掲載内容をディスプレイ１１上に表示する。そのため、新しいクーポンや広告等を毎回ダウンロードしなくても、時間の経過に伴って表示内容は変化する。たとえば７日分のクーポン等を一括してダウンロードすれば、その間にサーバ２０と通信しなくても、表示されるクーポン等は毎日変化する。したがって、毎日異なるクーポン等が届いているかのようなサービスを提供することができる。しかもクーポン等を毎回ダウンロードする必要がないため、ユーザにかかる通信費用の負担を軽減することができる。
【００４５】
また、ユーザにクーポン等を一度でもダウンロードしてもらえれば、表示すべきクーポン等がなくなった場合は図５（ａ）に示した更新画面を表示し、ユーザに更新ボタン３０を押すように促している。そして、ユーザが更新ボタン３０を押した場合に新しいクーポン等をダウンロードするようにしている。そのため、新しいクーポン等の存在を電子メールでユーザに通知することなく、継続的にクーポンを配信することができる。
【００４６】
［第２の実施の形態］
図６を参照して、本発明の第２の実施の形態による自己変動型コンテンツ配信システムは、第１の実施の形態に加え、携帯電話機１０及びサーバ２０に接続可能なもう１つの携帯電話機４０を備える。携帯電話機１０はユーザが所持するのに対し、携帯電話機４０は店舗内のレジカウンタ等に配置される。
【００４７】
サーバ２０のデータベース２１は、表示コンテンツ自動変更プログラム２５と、掲載情報データ２６と、クーポン回収プログラム２７とを記憶する。クーポン回収プログラム２７は、携帯電話機４０にダウンロード可能な状態でサーバ２０にアップロードされている。表示コンテンツ自動変更プログラム２５及び掲載情報データ２６は第１の実施の形態におけるそれらと類似するが、その詳細は後述する。
【００４８】
携帯電話機４０も携帯電話機１０と同様に、ディスプレイ４１と、ＣＰＵ４２と、メモリ４３とを備える。携帯電話機１０及び携帯電話機４０ともに、ＩｒＤＡ(Infrared Data Association)等に準拠した赤外線送受信部１４及び４４をそれぞれ備える。
【００４９】
携帯電話機４０のメモリ４３は、サーバ２０からダウンロードされたクーポン回収プログラム２７と、携帯電話機１０から送信されたクーポン回収情報４５とを記憶する。クーポン回収プログラム２７は、携帯電話機１０の赤外線送受信部１４からから送信されたクーポンを赤外線送受信部４４で受信し、そのクーポン回収情報４５をメモリ４３に記録し、必要に応じてディスプレイ４１に表示する。
【００５０】
図７を参照して、第２の実施の形態における掲載情報データ２６は、掲載期間２６０と、複数のレコード２６１〜２６６とを含む。レコード２６１〜２６６の各々は、有効期間と、クーポンＩＤと、種別と、表示区分と、第１の掲載内容（基本クーポン）と、第２の掲載内容（特別クーポン）とを含む。有効期間は対応する第１及び第２の掲載内容が有効な期間（日にち）を示す。第１の掲載内容は基本クーポンに関する情報であり、回収フラグと、クーポンの名称と、特典と、クーポンの説明とを含む。第２の掲載内容は特別クーポンに関する情報であり、回収フラグと、表示日数と、クーポンの名称と、特典と、クーポンの説明とを含む。
【００５１】
クーポンＩＤは、対応する２つのクーポンに一意に付与されたコンテンツ特定情報である。種別は「１」又は「２」の値を取り、「１」は対応するレコードが第１の掲載内容しか有していない（基本クーポンしかない）ことを示し、「２」は対応するレコードが第１及び第２の掲載内容を有している（基本クーポン以外に特別クーポンがある）ことを示す。表示区分は「０」、「１」又は「２」の値を取り、「０」は対応する第１及び第２のいずれの掲載内容も表示しない非表示状態を示し、「１」は対応する第１の掲載内容を表示する基本クーポン表示状態を示し、「２」は対応する第２の掲載内容を表示する特別クーポン表示状態を示す。回収フラグは「ＴＲＵＥ」又は「ＦＡＬＳＥ」の状態を取り、「ＴＲＵＥ」は対応するクーポンは回収する必要があることを示し、「ＦＡＬＳＥ」は対応するクーポンは回収する必要がないことを示す。表示日数は、特別クーポンを表示すべき日数を示す。
【００５２】
携帯電話機１０にダウンロードされた表示コンテンツ自動変更プログラム２５を図８及び図９のユーザ側の携帯電話機１０の欄に示し、携帯電話機４０にダウンロードされたクーポン回収プログラム２７を図９の店舗側の携帯電話機４０の欄に示す。以下、図８及び図９を参照して第２の実施の形態による自己変動型コンテンツ配信システムの動作を説明する。ステップＳ１０１〜Ｓ１０８及びＳ２０１は第１の実施の形態と同じであるから、その説明は繰り返さない。
【００５３】
ステップＳ１０６における判断の結果、掲載期間２６０内に本日が含まれている場合、携帯電話機１０はメモリ１３に格納された掲載情報データ２６を検索し（Ｓ１２１）、有効期間内に本日が含まれかつ表示区分が「１」のとき基本クーポンを抽出し（Ｓ１２６）、有効期間内に本日が含まれかつ表示区分が「２」のとき特別クーポンを抽出する（Ｓ１２７）。ただし、携帯電話機１０は表示区分が「０」のとき基本クーポンも特別クーポンも抽出しない。以下、検索処理の詳細をを説明する。
【００５４】
まず、携帯電話機１０は変数ｉを「０」に設定し（Ｓ１２０）、掲載情報データ２６を検索する（Ｓ１２１）。携帯電話機１０は掲載情報データ２６を全て検索し終えるまで（図７に示した例ではｉ＝６まで）、以下のステップＳ１２３〜Ｓ１２７を繰り返す（Ｓ１２２）。
【００５５】
全てを検索し終えてない場合（Ｓ１２２でＮＯ）、携帯電話機１０は変数ｉをインクリメントし（Ｓ１２３）、ｉ番目のレコードの有効期間内に本日が含まれている否かを判断する（Ｓ１２４）。有効期間内に本日が含まれていない場合（Ｓ１２４でＮＯ）、携帯電話機１０は、次のレコードをチェックするためにステップＳ１２１に戻る。一方、有効期間内に本日が含まれている場合（Ｓ１２４でＹＥＳ）、携帯電話機１０は、表示区分が「０」か「１」か「２」かを判断する（Ｓ１２５）。
【００５６】
表示区分が「０」の場合、携帯電話機１０は、次のレコードをチェックするためにステップＳ１２１に戻る。
【００５７】
表示区分が「１」の場合、携帯電話機１０は、ｉ番目のレコードの第１の掲載内容における名称を一覧画面名称（ｉ）として読み込み、かつｉ番目のレコードの第１の掲載内容における特典を一覧画面特典（ｉ）として読み込む（Ｓ１２６）。
【００５８】
表示区分が「２」の場合、携帯電話機１０は、ｉ番目のレコードの第２の掲載内容における名称を一覧画面名称（ｉ）として読み込み、かつｉ番目のレコードの第２の掲載内容における特典を一覧画面特典（ｉ）として読み込む（Ｓ１２７）。
【００５９】
ステップＳ１２６又はＳ１２７でクーポンの読み込みを終えた後、携帯電話機１０は、次のレコードをチェックするためにステップＳ１２１に戻る。
【００６０】
ステップＳ１２２で掲載情報データ２６を全て検索し終えた場合（Ｓ１２２でＹＥＳ）、携帯電話機１０は、ステップＳ１２６又はＳ１２７で読み込まれたクーポンを表示する（Ｓ１３２）。以下、表示処理の詳細を説明する。
【００６１】
まず、携帯電話機１０は変数ＣＮＴを「０」に設定し（Ｓ１３０）、さらに変数ＣＮＴをインクリメントする（Ｓ１３１）。続いて、携帯電話機１０は、ステップＳ１２６又はＳ１２７で読み込まれた一覧画面名称（ＣＮＴ）及び一覧画面特典（ＣＮＴ）をディスプレイ１１に表示する（Ｓ１３２）。そして、携帯電話機１０は、ステップＳ１３１及びＳ１３２をＣＮＴ＝ｉまで繰り返す（Ｓ１３３）。
【００６２】
たとえば本日が４月１日の場合、携帯電話機１０は、レコード２６２を除くレコード２６１，２６３〜２６６に係るクーポンを抽出し（Ｓ１２６，Ｓ１２７）、図１０（ａ）に示すように５つの基本クーポン（第１の掲載内容の名称及び特典）の一覧画面をディスプレイ１１に表示する（Ｓ１３２）。
【００６３】
表示を終えた後、図９を参照して、携帯電話機１０はキー入力を待ち（Ｓ１３４）、ユーザの操作に応じて表示された複数のクーポンの中から１つを選択する（Ｓ１３５）。携帯電話機１０は、選択したクーポンの詳細画面をディスプレイ１１に表示する（Ｓ１３６）。
【００６４】
たとえば図１０（ａ）に示した一覧画面において「クーポンＡ−１」が選択された場合、携帯電話機１０は図１０（ｂ）に示した詳細画面（「クーポンＡ−１」の名称、特典、有効期間及び説明を含む）を表示する。この詳細画面の右下には「戻る」ボタンも表示される。
【００６５】
日付が変わり、本日が４月２日になった場合、携帯電話機１０は、レコード２６１を除くレコード２６２〜２６６に係るクーポンを抽出し（Ｓ１２６，Ｓ１２７）、図１１（ａ）に示すように５つの基本クーポンの一覧画面を表示する（Ｓ１３２）。すなわち、「クーポンＡ−１」に代えて「クーポンＡ−２」を表示する。この一覧画面において「クーポンＡ−２」が選択された場合、携帯電話機１０は図１１（ｂ）に示した詳細画面を表示する。
【００６６】
詳細画面を表示した後、携帯電話機１０は、表示したクーポンの回収フラグが「ＴＲＵＥ」か「ＦＡＬＳＥ」かを判断する（Ｓ１３７）。「ＴＲＵＥ」の場合、携帯電話機１０は、当該クーポンは回収される必要があると判断し、当該クーポンを送信可能な状態に設定し（Ｓ１３８）、詳細画面の左下に「送信」ボタンを表示する。「ＦＡＬＳＥ」の場合、携帯電話機１０は、当該クーポンは回収される必要がないと判断し、このステップＳ１３８をスキップする。
【００６７】
たとえば「クーポンＡ−１」や「クーポンＡ−２」の場合、回収フラグが「ＦＡＬＳＥ」であるから、図１０（ｂ）や図１１（ｂ）に示すように「送信」ボタンは表示されない。これに対し、「クーポンＢ−１」の場合、回収フラグが「ＴＲＵＥ」であるから、図１２（ａ）に示した一覧画面において「クーポンＢ−１」が選択されると、図１２（ｂ）に示した詳細画面が表示され、その左下に「送信」ボタンが表示される。
【００６８】
再び図９を参照して、携帯電話機１０は、詳細画面を表示した状態でキー入力を待つ（Ｓ１３９）。ユーザが画面右下の「戻る」ボタンを押した場合、携帯電話機１０はステップＳ１２０に戻り、再びクーポンを抽出し（Ｓ１２１〜Ｓ１２７）、その一覧画面を表示する（Ｓ１３０〜Ｓ１３３）。
【００６９】
一方、詳細画面の左下に「送信」ボタンが表示されている場合において、ユーザが当該クーポンを使用するために「送信」ボタンを押すと、携帯電話機１０は、当該クーポンのＩＤ、表示区分、名称及び特典に関する情報を店舗側の携帯電話機４０に送信する（Ｓ１４０）。この送受信処理は、携帯電話機１０，４０の赤外線送受信部１４，４４により行われる。
【００７０】
店舗側の携帯電話機４０は、ユーザ側の携帯電話機１０から送信されたクーポンＩＤ等に関する情報を受信し（Ｓ２０２）、これをクーポン回収情報４５としてメモリ４３に記録し（Ｓ２０３）、かつディスプレイ４１に表示する（Ｓ２０４）。
【００７１】
ユーザ側の携帯電話機１０は、クーポンＩＤ等の送信を無事完了したか否かを判断する（Ｓ１４１）。送信に失敗した場合（Ｓ１４１でＮＯ）、携帯電話機１０はエラー画面を表示し（Ｓ１４２）、ステップＳ１３４に戻る。
【００７２】
一方、送信に成功した場合（Ｓ１４１でＹＥＳ）、携帯電話機１０は、当該クーポンの種別が「１」か「２」かを判断する（Ｓ１４３）。種別が「１」の場合、携帯電話機１０は基本クーポンしかないと判断し、当該基本クーポンの表示を停止するために表示区分を「１」から「０」に変更し（Ｓ１４４）、ステップＳ１２０に戻る。
【００７３】
たとえば「クーポンＢ−１」の場合、種別が「１」で、表示区分も当初は「１」であるから、「クーポンＢ−１」は当初は図１２（ａ）に示した一覧画面に表示されるが、図１２（ｂ）に示した詳細画面において「送信」ボタンが押されると、図１３に示すように表示区分が「１」から「０」に変更される。その結果、図１２（ｃ）に示すように「クーポンＢ−１」は一覧画面に表示されなくなる。
【００７４】
一方、種別が「２」の場合、携帯電話機１０は当該基本クーポン以外に特別クーポンがあると判断し、さらに表示区分が「１」か「２」かを判断する（Ｓ１４５）。表示区分が「２」の場合、携帯電話機１０は表示中のクーポンは特別クーポンと判断し、当該特別クーポンの表示を停止するために表示区分を「２」から「０」に変更し（Ｓ１４４）、ステップＳ１２０に戻る。
【００７５】
一方、表示区分が「１」の場合、携帯電話機１０は表示中のクーポンは基本クーポンと判断し、当該基本クーポンの表示を特別クーポンの表示に切り替えるために表示区分を「１」から「２」に変更する（Ｓ１４６）。
【００７６】
表示区分を「１」から「２」に変更した後、携帯電話機１０は当該特別クーポンには表示日数が設定されているか否かを判断する（Ｓ１４７）。表示日数が設定されていない場合、携帯電話機１０は次のステップＳ１４８〜Ｓ１５０をスキップし、ステップＳ１２０に戻る。この場合、基本クーポンを使用した日から当該クーポンに予め設定されている有効期間の残存期間だけ特別クーポンが表示される。
【００７７】
一方、表示日数が設定されている場合、携帯電話機１０は、本日の日付に表示日数を加算して表示期間を算出する（Ｓ１４８）。続いて、携帯電話機１０は、算出した表示期間が有効期間の範囲内か否かを判断する（Ｓ１４９）。表示期間が有効期間を超える場合（Ｓ１４９でＮＯ）、携帯電話機１０は次のステップＳ１５０をスキップし、ステップＳ１２０に戻る。この場合、表示日数に関係なく、基本クーポンを使用した日から有効期間の残存期間だけ特別クーポンが表示される。
【００７８】
一方、表示期間が有効期間の範囲内の場合、携帯電話機１０は有効期間を表示期間に書き替え（Ｓ１５０）、ステップＳ１２０に戻る。この場合、有効期間に関係なく、表示日数だけ特別クーポンが表示される。
【００７９】
たとえばレコード２６４に係る「クーポンＣ−１」及び「クーポンＣ−２」の場合、種別が「２」で、表示区分が当初「１」であるから、図１４（ａ）に示すように当初は基本クーポンである「クーポンＣ−１」が一覧画面に表示される。図１４（ｂ）に示した詳細画面において「送信」ボタンが押されると、図１５に示すように表示区分が「１」から「２」に変更される。その結果、図１４（ｃ）に示すように「クーポンＣ−１」に代えて特別クーポンである「クーポンＣ−２」が一覧画面に表示される。この一覧画面において「クーポンＣ−２」が選択されると、図１４（ｄ）に示した詳細画面が表示される。「クーポンＣ−２」の回収フラグは「ＦＡＬＳＥ」であるから、詳細画面に「送信」ボタンは表示されない。「クーポンＣ−２」には表示日数は設定されていないので、予め設定されている有効期間がそのまま表示される。
【００８０】
レコード２６５に係る「クーポンＤ−１」及び「クーポンＤ−２」の場合、種別が「２」で、表示区分が当初「１」であるから、図１６（ａ）に示すように当初は基本クーポンである「クーポンＤ−１」が一覧画面に表示される。図１６（ｂ）に示した詳細画面において「送信」ボタンが押されると、図１７に示すように表示区分が「１」から「２」に変更される。その結果、図１６（ｃ）に示すように「クーポンＤ−１」に代えて特別クーポンである「クーポンＤ−２」が一覧画面に表示される。この一覧画面において「クーポンＤ−２」が選択されると、図１６（ｄ）に示した詳細画面が表示される。「クーポンＤ−２」の回収フラグは「ＴＲＵＥ」であるから、詳細画面に「送信」ボタンが表示される。「クーポンＤ−２」には表示日数は設定されていないので、予め設定されている有効期間がそのまま表示される。「クーポンＤ−２」の詳細画面において「送信」ボタンが押されると、図１７に示すように表示区分が「２」から「０」に変更される。その結果、図１６（ｅ）に示すように「クーポンＤ−１」は一覧画面に表示されなくなる。
【００８１】
レコード２６６に係る「クーポンＥ−１」及び「クーポンＥ−２」の場合、種別が「２」で、表示区分が当初「１」であるから、図１８（ａ）に示すように当初は基本クーポンである「クーポンＥ−１」が一覧画面に表示される。図１８（ｂ）に示した詳細画面において「送信」ボタンが押されると、図１９に示すように表示区分が「１」から「２」に変更される。その結果、図１８（ｃ）に示すように「クーポンＥ−１」に代えて特別クーポンである「クーポンＥ−２」が一覧画面に表示される。「クーポンＥ−２」には表示日数として「１日」が設定されているので、４月１日に「クーポンＥ−２」が使用されたとすると、「４月１日」に「１日」を加え、表示期間として「４／１〜４／２」が算出される（Ｓ１４８）。算出された表示期間は予め設定されいる有効期間「４／１〜４／５」よりも短いので（Ｓ１４９でＹＥＳ）、図１９に示すように算出された表示期間で有効期間が書き替えられる（Ｓ１５０）。したがって、４月３日になると、当初の有効期間「４／１〜４／５」の範囲内であるにもかかわらず、図１８（ｄ）に示すように「クーポンＥ−２」は一覧画面に表示されなくなる。
【００８２】
一方、上述したように、店舗側の携帯電話機４０がユーザ側の携帯電話機１０から送信された、たとえば「クーポンＢ−１」（厳密には「クーポンＢ−１」のＩＤ等に関する情報）を受信したとき、図２０に示すように、「クーポンＢ−１」の名称及び特典を含む画面を表示する。店員はこの画面を見て、その特典に応じた割引サービスを行う。
【００８３】
店舗側の携帯電話機４０はさらに、受信したクーポンに関する情報を図２１に示すようにクーポン回収情報４５としてメモリ４３に記録する（Ｓ２０３）。そして、携帯電話機４０は、そのクーポン回収情報４５に基づいて、図２２に示すように各クーポンの回収数等をディスプレイ４１に表示する（Ｓ２０４）。
【００８４】
以上のように本発明の第２の実施の形態によれば、クーポンＩＤ等を送信した後は、クーポンの表示が消えたり、代わりに別の新しいクーポンが表示されたりする。したがって、ユーザには使用済みのクーポンを回収しているように見せ、かつ基本クーポンを使用すると特別クーポンがもらえるように見せることができる。その結果、使用済みクーポンの再使用を防止し、かつクーポンの使用を促進することができる。
【００８５】
本システムは、発行済みのクーポンを全て管理し、かつ各クーポンが未使用か使用済みかをサーバで管理するような大規模なシステムではなく、市販のＩｒＤＡ機能付き携帯電話機４０にクーポン回収プログラム２７をダウンロードし、その携帯電話機４０をレジカウンタ等に配置しておくだけでよいので、本システムの導入に必要な費用を大幅に低減することができる。
【００８６】
［他の実施の形態］
上記第２の実施の形態では、クーポンを送信したとき、そのクーポンを消去するか、新しいクーポンを表示するようにしているが、クーポンの送信機能を省略し、単にクーポンを選択しただけで、そのクーポンを消去するか、新しいクーポンを表示するようにすることも可能である。これを実現するためには、図９に示したステップＳ１３７〜ＳＳ１４２を省略すればよい。
【００８７】
また、上記実施の形態では店舗側にＩｒＤＡ機能付き携帯電話機４０を配置しているが、ＰＯＳ(Point-of-sales System)レジスタに同等の機能を設けてもよいことは当然である。また、ＩｒＤＡに限らず、１次元又は２次元バーコードをディスプレイ１１に表示し、これをＰＯＳレジスタで読み取るようにしてもよい。その他、クーポンＩＤ等の送受信は無線又は有線で行うようにしてもよく、その具体的手段は特に限定されない。
【００８８】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【産業上の利用可能性】
【００８９】
本発明による自己変動型コンテンツ配信システムは、特にクーポンや広告等を携帯電話機に配信するサービスに利用可能である。
【図面の簡単な説明】
【００９０】
【図１】本発明の第１の実施の形態による自己変動型コンテンツ配信システムの概要を示す図である。
【図２】図１に示した自己変動型コンテンツ配信システムの全体構成を示す機能ブロック図である。
【図３】図２中の携帯電話機にダウンロードされた掲載情報データの構成を示す図である。
【図４】図２に示した自己変動型コンテンツ配信システムの動作を示すフロー図である。
【図５】図４に示した動作中に携帯電話機に表示される画面を示す図である。
【図６】本発明の第２の実施の形態による自己変動型コンテンツ配信システムの全体構成を示す機能ブロック図である。
【図７】図２中のユーザ側の携帯電話機にダウンロードされた掲載情報データの構成を示す図である。
【図８】図６に示した自己変動型コンテンツ配信システムの動作を示すフロー図である。
【図９】図８に続くフロー図である。
【図１０】図８及び図９に示した動作中における「クーポンＡ−１」の表示画面を示す図である。
【図１１】図８及び図９に示した動作中における「クーポンＡ−２」の表示画面を示す図である。
【図１２】図８及び図９に示した動作中における「クーポンＢ−１」の表示画面を示す図である。
【図１３】図１２に示した「クーポンＢ−１」の使用中における掲載情報データの変化を示す図である。
【図１４】図８及び図９に示した動作中における「クーポンＣ−１」及び「クーポンＣ−２」の表示画面を示す図である。
【図１５】図１４に示した「クーポンＣ−１」及び「クーポンＣ−２」の使用中における掲載情報データの変化を示す図である。
【図１６】図８及び図９に示した動作中における「クーポンＤ−１」及び「クーポンＤ−２」の表示画面を示す図である。
【図１７】図１６に示した「クーポンＤ−１」及び「クーポンＤ−２」の使用中における掲載情報データの変化を示す図である。
【図１８】図８及び図９に示した動作中における「クーポンＥ−１」及び「クーポンＥ−２」の表示画面を示す図である。
【図１９】図１６に示した「クーポンＥ−１」及び「クーポンＥ−２」の使用中における掲載情報データの変化を示す図である。
【図２０】図９に示した動作中において、店舗側の携帯電話機が「クーポンＢ−１」を受信したときの表示画面を示す図である。
【図２１】図９に示した動作中において、店舗側の携帯電話機が蓄積したクーポン回収情報の構成を示す図である。
【図２２】図２１に示したクーポン回収情報の表示画面を示す図である。
【符号の説明】
【００９１】
１０，４０  携帯電話機
１１，４１  ディスプレイ
１３，４３  不揮発性半導体メモリ
１４，４４  赤外線送受信部
１５，２３，２６  掲載情報データ
１６  クーポン
２０  サーバ
２１  データベース
２２，２５  表示コンテンツ自動変更プログラム
２７  クーポン回収プログラム
３１  有効期間
３２  有効時間
４５  クーポン回収情報
１５０，２６０  掲載期間
１５１〜１５３，２６１〜２６６  レコード
【図１】
2005129000.tif 000003
【図２】
2005129000.tif 000004
【図３】
2005129000.tif 000005
【図４】
2005129000.tif 000006
【図５】
2005129000.tif 000007
【図６】
2005129000.tif 000008
【図７】
2005129000.tif 000009
【図８】
2005129000.tif 000010
【図９】
2005129000.tif 000011
【図１０】
2005129000.tif 000012
【図１１】
2005129000.tif 000013
【図１２】
2005129000.tif 000014
【図１３】
2005129000.tif 000015
【図１４】
2005129000.tif 000016
【図１５】
2005129000.tif 000017
【図１６】
2005129000.tif 000018
【図１７】
2005129000.tif 000019
【図１８】
2005129000.tif 000020
【図１９】
2005129000.tif 000021
【図２０】
2005129000.tif 000022
【図２１】
2005129000.tif 000023
【図２２】
2005129000.tif 000024